(57)【特許請求の範囲】
【請求項１】
曲データと当該曲データを管理するための曲情報データとを格納する記録媒体と、
前記記録媒体から読み出された前記曲情報データのうち前記曲データを特定する少なくとも曲名または演奏者（歌手）に関する情報を含む識別情報を外部に出力する出力手段と、
前記出力手段から出力された前記識別情報を入力し、入力した当該識別情報のうち前記少なくとも曲名または演奏者（歌手）に関する情報をＧＵＩ情報として表示し、表示したＧＵＩ情報に基づいてユーザにより作成された当該識別情報を含む曲情報リストを出力する所定の外部機器と、
前記所定の外部機器において作成された前記曲情報リストを読み込む入力手段と、
前記入力手段によって読み込まれた前記曲情報リストに基づいて、前記記録媒体に格納されている前記曲情報データを介して当該記録媒体に格納されている前記曲データの格納位置を特定し、当該位置に格納された当該曲データを再生する再生手段と、
を備えたことを特徴とするオーディオ再生システム。
【発明の詳細な説明】
【０００１】
【発明の属する技術分野】
本発明は、大容量の記録装置における曲情報データを管理するためのオーディオ再生装置及び曲情報データ管理システムならびに曲データ再生方法等に関する。
【０００２】
【従来の技術】
近年、ハードディスクドライブが広く一般に普及し、安価で大容量のハードディスクドライブがさまざまな機器の記録装置として採用されるようになった。これを利用したシステムとして、音楽コンテンツのデータ（曲データ）を、データの追記や書き換えを容易に行うことのできる大容量記録装置であるハードディスクドライブに記録するオーディオシステムがある。このようなオーディオ装置では、内蔵された大容量のハードディスクドライブに大量の曲データを記録して管理することができるため、ＣＤなどの記録媒体を交換する手間を削減することができる。また、この種のオーディオシステムでは、ＣＤ（Compact Disk）やＭＤ（Mini Disk）などの記録媒体から曲データを読み出してハードディスクドライブに記録することもできる。
【０００３】
ここで、ハードディスクドライブには、曲データと共に、この曲データを管理するデータである曲情報データが記録されている。曲情報データには、曲データとしてハードディスクドライブに格納されている楽曲のタイトル、演奏者（歌手）といった楽曲自体に関する情報と共に、当該楽曲データが格納されているアドレスなどの記録情報が含まれる。そして、タイトルなどに基づいて再生しようとする楽曲を指定すれば、この記録情報を用いてハードディスクに格納されている対応する曲データを読み出して再生することができる。
【０００４】
また、オーディオシステムには、通常、システムの動作状況などの情報を表示するための表示部が設けられている。ハードディスクドライブやＣＤなどから曲データを再生する場合、この表示部に、再生中あるいは再生しようとする楽曲に関する曲情報が表示される。ユーザは、表示部に表示された曲情報を参照しながらオーディオシステムを操作し、再生したい楽曲を選択し、再生させることができる。
さらに、この種のオーディオシステムにおいては、表示部に表示された曲情報に基づいて、再生を行いたい楽曲を予めいくつか選択しておき、その後に再生を行うための操作をして、選択された楽曲をまとめて再生する機能（プログラム再生機能）を使用して再生を行うことも可能であった。
【０００５】
【発明が解決しようとする課題】
ところで一般に、これらのオーディオシステムは、曲データの再生を行うことが主たる目的であるため、当該曲データの曲情報を表示するというような機能は付加的な機能に過ぎないので、大きなサイズの表示部を備えていない。そのため、曲データに関する曲名等の曲情報データを表示部に表示しようとする場合、この表示部のサイズが小さいために、表示できる曲情報の数が制限されてしまう。
一方、曲データの記録装置としてハードディスクドライブを用いる場合、ハードディスクドライブは、曲データの一般的な記録媒体であるＣＤやＭＤと比べてはるかに大きな記憶容量を持たせることができるため、収録される曲データの数も、これらの記憶媒体の数十倍から数百倍となることもある。
そのため、上述したサイズの小さい表示部に曲情報を表示して、ハードディスクドライブに格納されている曲データの中から再生しようとする楽曲を探すとすれば、多大な手間を要することとなっていた。
【０００６】
また、プログラム再生を行うために所望の曲データを選択する場合も、大量の曲データの中から再生する楽曲を選ぶのに同様な手間を要する。特にプログラム再生の対象として選択される楽曲は、ユーザが聞く頻度の高い楽曲である可能性があり、その場合、プログラム再生を行うたびに所望の楽曲を探して選択する作業を行わなければならず、煩雑であった。
【０００７】
そこで、本発明は、曲データの記録装置としてハードディスクドライブを備えたオーディオシステムにおいて、再生する楽曲の選別に要する手間を軽減することを目的とする。
【０００８】
また、本発明は、プログラム再生において選択される楽曲の曲情報を管理し、ハードディスクドライブに格納された大量の曲データの中から所望の楽曲をプログラム再生する作業を簡易にすることを他の目的とする。
【０００９】
【課題を解決するための手段】
上記の目的を達成する本発明は、次のように構成されたことを特徴とするオーディオ再生装置を提供する。この電子化された曲データを再生するオーディオ再生装置は、曲データとこの曲データを管理するための曲情報データとを格納する記録媒体と、この記録媒体から読み出された曲情報データを外部に出力すると共に、所定の外部機器において編集された曲情報データを読み込む入出力手段と、この入出力手段によって読み込まれた編集後の曲情報データに基づいて、記録媒体に格納されている曲情報データを介して記録媒体に格納されている曲データの格納位置を特定し、この位置に格納された曲データを再生する再生手段とを備える。
【００１０】
また、このオーディオ再生装置における記録媒体は、磁気的手段にてデータの書き込み及び読み出しが可能であり、オーディオ再生装置に固定的に装着された記憶媒体とすることができ、具体的にはハードディスクを用いることができる。
さらに、このオーディオ再生装置における入出力手段は、記録媒体に格納されている曲情報データのうち、この曲データを特定する識別情報を出力する。この識別情報としては、例えば楽曲のタイトルや演奏者（歌手）に関する情報とすることができる。
【００１１】
さらにまた、本発明は、次のように構成されたことを特徴とするオーディオ再生装置を提供する。この所定の記録媒体に記録された曲データを再生するオーディオ再生装置は、曲データを格納する第１の記録媒体と、このオーディオ再生装置に対して抜き挿しが可能であり、曲データを管理する曲情報データを保持する第２の記録媒体と、この第２の記録媒体に記録されている曲情報データに基づいて第１の記録媒体に格納された曲データを再生する再生手段とを備える。
【００１２】
さらに、この第１の記録媒体は、曲データを管理する管理データを格納し、第２の記録媒体は、第１の記録媒体から読み出された管理データを編集して作成された曲情報データを格納する構成とすることができる。
【００１３】
また、本発明は、次のように構成されたことを特徴とするオーディオ再生制御装置を提供することができる。この電子化された曲データを再生するオーディオ再生制御装置は、曲データとこの曲データを管理する曲情報データとを格納する記録媒体と、曲情報データに基づいて作成された再生リストを保持するリムーバブル記録媒体と、このリムーバブル記録媒体に保持されている再生リストにしたがって、記録媒体に格納された曲情報データを読み出し、曲データを再生可能な状態とする曲情報データ読み出し手段とを備える。
【００１４】
さらに、このリムーバブル記録媒体に格納される再生リストは、再生すべき曲データの曲目のみならず、この曲データの再生順を指定することができる。
【００１５】
また、本発明は次のように構成されたことを特徴とする曲データ管理方法を提供することができる。この電子化された曲データを再生するオーディオ再生装置における曲データ管理方法は、曲データとこの曲データを管理するための曲情報データとを格納する記録媒体から曲情報データを読み出して外部の選別装置に出力するステップと、この外部の選別装置において、出力された曲情報データの中から再生使用とする曲データに対応する曲情報データとして選別された曲情報データを入力するステップと、選別後の曲情報データに基づいて記録媒体に格納されている曲データを再生可能な状態とするステップとを含む。
【００１６】
さらにまた、本発明は次のように構成されたことを特徴とする曲データ再生方法を提供することができる。この所定の記録媒体に格納された曲データを再生するオーディオ装置における曲データ再生方法は、オーディオ装置に着脱可能なリムーバブル記録媒体がこのオーディオ装置に接続されているかどうかを判断するステップと、このリムーバブル記録媒体が接続されていたときに、リムーバブル記録媒体に記録媒体に格納された曲データの再生リストが保持されているかどうかを判断するステップと、リムーバブル記録媒体に再生リストが保持されていたときに、この再生リストにしたがって記録媒体に格納された曲データを再生するステップとを含む。
【００１７】
【発明の実施の形態】
以下、添付図面に示す本実施の形態に基づいて本発明を詳細に説明する。
図１は本実施の形態におけるオーディオ装置１０のシステムの機器構成を示す図である。
図１に示すように、本実施の形態におけるオーディオ装置１０は、大容量記録装置としてのハードディスクドライブ１１と、当該オーディオ装置１０の動作を制御する制御部１２と、デコーダＩＣ１６と、Ｄ／Ａコンバータ１７と、アンプ１８と、スピーカ１９と、外部インターフェイス部２０と、表示部３１と、操作部３２とを備える。ここで、制御部１２にはＣＰＵ１３と、ＲＡＭ１４と、ＲＯＭ１５とが備えられている。また、外部インターフェイス部２０には、メモリメディアインターフェイス２１と、メモリメディア２２とが備えられている。
【００１８】
ハードディスクドライブ１１は、本実施の形態において曲データを録音するための大容量記録装置であり、内部に備えられた磁気ディスクには、再生する曲データ及び各曲データに関する情報である曲情報データ、その他、さまざまなデータを格納することができる。
制御部１２には、このオーディオ装置１０を動作させるためのプログラム等及び必要な情報等を格納したＲＯＭ１５と、オーディオ装置１０のメインメモリであるＲＡＭ１４と、ＲＡＭ１４に読み込まれたプログラム等にしたがってオーディオ装置１０の制御を行うためのＣＰＵ１３とが備えられている。
また外部インターフェイス部２０には、メモリメディア２２に対してデータの読み書きが可能なメモリメディアインターフェイス２１が備えられている。メモリメディア２２は、このメモリメディアインターフェイス２１に抜き差し可能なリムーバブル記録媒体であり、例えばメモリスティックやＰＣカードなどのメモリカード、フロッピーディスクなどの種々の記録媒体を用いることができる。さらに、この外部インターフェイス部２０として、記録媒体を用いずに、ケーブルまたは無線ネットワーク等を用いて外部機器と接続する構成としても良い。
【００１９】
ここで、オーディオ装置１０のフロントパネルやリモコン等の操作部３２に対して再生を行うための操作がなされると、制御部１２からの命令によって曲データが記録されたハードディスクドライブ１１から曲データが読み出され、デコーダＩＣ１６へと送られる。この曲データは、ハードディスクドライブ１１に格納されている状態では圧縮、符号化されている。デコーダＩＣ１６は、この符号化された曲データをデコード（Decode、復調）するための装置である。デコーダＩＣ１６によって復調された曲データは、Ｄ／Ａコンバータ１７へと送られる。Ｄ／Ａコンバータ１７は、復調されたデジタル信号をオーディオ信号に変換するための装置である。Ｄ／Ａコンバータ１７によって変換されたオーディオ信号は、アンプ１８へと送られる。アンプ１８は、オーディオ信号を増幅するための装置である。アンプ１８にて増幅されたオーディオ信号は、スピーカ１９へと送られて、音声として出力される。
【００２０】
図２は、本実施の形態におけるオーディオ装置１０で実現される機能構成を示すブロック図である。
図２に示すように、本実施の形態におけるオーディオ装置１０の機能は、統括制御部４０と表示制御部４１と、入力制御部４２と、音声制御部４３と、曲情報制御部４４と曲情報データ入出力部４５とによって構成されている。
ここで統括制御部４０は、他の機能ブロックによって制御される各機能を統括し、オーディオ装置１０全体の動作を制御する制御ブロックである。
表示制御部４１は、オーディオ装置１０に備えられた表示部３１に表示しようとする情報を統括制御部４０から受け取って処理し、表示部３１に表示する機能を備える。この表示部３１に表示される情報としては、曲の選択をするための曲情報や統括制御部４０から送られてくるメッセージ等が挙げられる。また、再生中の曲情報等もこの表示制御部４１により表示部３１に表示される。
入力制御部４２は、オーディオ装置１０に備えられたキーやリモコン等の操作部３２を操作することによって発生する電気信号を受信して統括制御部４０へと送る。
音声制御部４３は、再生しようとする曲データを、デコーダＩＣ１６、Ｄ／Ａコンバータ１７、アンプ１８を介してスピーカ１９へ送り、再生させる。
曲情報制御部４４は、ハードディスクドライブ１１に対する曲データや曲情報データの読み書きを行う。
曲情報データ入出力部４５は、メモリメディアインターフェイス２１を介し、メモリメディア２２に対して曲情報データの読み書きを行う。
なお、図２に示す各構成要素は、図１の制御部１２におけるＲＯＭ１５に格納されたプログラムで制御されたＣＰＵ１３にて実現されるソフトウェアブロックである。
【００２１】
本実施の形態においては、曲データとその曲データに関する曲情報データとが、別ファイルとしてハードディスクドライブ１１に格納されている。操作部３２にて、表示部３１に表示された曲情報を選択し、再生する操作が行われると、入力制御部４２から統括制御部４０を介して曲情報制御部４４に対して選択された曲データを検索する命令が送られる。曲情報制御部４４は、この命令にしたがってハードディスクドライブ１１から曲データを読み出して音声制御部４３へと送る。ここで、図３を用いて、ハードディスクドライブ１１に格納されている曲データと曲情報データについてさらに詳しく説明する。
【００２２】
図３は、本実施の形態における曲データと曲情報データとがハードディスクドライブ１１に格納されている状態を示す図である。
図３に示すように、ハードディスクドライブ１１には曲データ１１ａ〜１１ｊと、曲情報データ５０とがそれぞれ格納されている。
ここで、曲データに関する曲情報が記録されている曲情報データ５０について、図３に示した例に基づいて詳しく説明する。この曲情報データ５０には、曲名５２、アーティスト５３、ハードディスクドライブ１１におけるスタートアドレス５４、ハードディスクドライブ１１におけるエンドアドレス５５の各項目が記録されている。また、曲情報データ５０のうちで、曲名５２の項目とアーティスト５３の項目とは、後述する転送用曲情報データ５１としても用いられる。
ここで、曲名５２が「１．ＭＵＳＩＣ」、アーティスト５３が「ａａａａａ」、ハードディスクドライブ１１におけるスタートアドレス５４が「０」、ハードディスクドライブ１１におけるエンドアドレス５５が「２２」である曲情報によって示される曲データは、ハードディスクドライブ１１のアドレスが「０」〜「２２」の１曲目１１ａの位置に格納されている。また、曲名５２が「２．ＳＯＮＧ」〜「１０．○○○」までの曲情報データ５０によって示される曲データもそれぞれ、ハードディスクドライブ１１の２曲目１１ｂ〜１０曲目１１ｊの位置に格納されている。
【００２３】
このように曲情報データ５０を用いれば、曲名５２やアーティスト５３の各項目から曲情報によって示される曲データを検索することができる。よって、操作部３２にて表示部３１に表示された曲情報に基づいて所望の曲を選択し、再生操作を行うことによって、ハードディスクドライブ１１に格納された曲情報データ５０の曲名５２の項目から、当該所望の曲データがハードディスクドライブ１１のどの位置に格納されているかを知ることができ、その曲データを読み出して音声として再生することができる。
【００２４】
さて、本実施の形態は、以上説明したような曲情報データ５０を、転送用曲情報データ５１として外部機器に転送し、編集した後にオーディオ装置１０に再び読み込ませることができる。そして、この編集された転送用曲情報データ５１を用いることによって、オーディオ装置１０で選択操作を行わずに所望の曲データを再生することができる。
図２に示した曲情報データ入出力部４５には、メモリメディア２２に曲情報データ５０のうちの転送用曲情報データ５１を書き込む機能と、メモリメディア２２に保持された外部機器にて選別された選別済み曲情報データ５６をオーディオ装置１０に読み込む機能とがある。選別済み曲情報データ５６については後述する。
上記のように、転送用曲情報データ５１は、オーディオ装置１０にて所望の曲データを再生するために外部機器において編集されるデータであるので、曲データを識別するための情報が含まれている必要がある。図３に示したように、本実施の形態では、曲名５２及びアーティスト５３の項目の情報を転送用曲情報データ５１としている。なお、ハードディスクドライブ１１における曲データのアドレス情報（図３の５４、５５）については、外部機器において書き換えられると、ハードディスクドライブ１１中の曲データ１１ａ〜１１ｊとの対応が取れなくなるので、転送用曲情報データ５１に含まないことが好ましい。
【００２５】
図４は、本実施の形態における曲情報データ５０に対する処理を示す図である。
図４（ａ）は、オーディオ装置１０にメモリメディア２２が差し込まれた状態を示している。このようにして、オーディオ装置１０のハードディスクドライブ１１に格納されている全ての楽曲の曲情報データ５０をメモリメディア２２へと転送する。さらに詳しくは、ハードディスクドライブ１１に格納されている曲情報データ５０のうちで、転送用曲情報データ５１の部分を曲情報制御部４４が切り出し、統括制御部４０からの命令によって曲情報データ入出力部４５を介してメモリメディアインターフェイス２１へと転送されてメモリメディア２２に書き込まれる。
【００２６】
図４（ｂ）は、転送用曲情報データ５１を保持したメモリメディア２２が、選別用の外部機器に差し込まれた状態を示している。本実施の形態においては、曲情報の選別用の外部機器として、パーソナルコンピュータ６０を用いる。このパーソナルコンピュータ６０は、メモリメディア２２を差し込んで読み取ることのできるメモリメディアスロット６１と、メモリメディア２２から読み込まれた転送用曲情報データ５１をＧＵＩなどを利用して表示することのできるディスプレイ６２と、ディスプレイ６２に表示されたＧＵＩ情報に基づいて曲の選別操作を行うことができるキーボードやポインティングデバイス等の入力装置６３とを備えている。
このパーソナルコンピュータ６０にはメモリメディア２２に書き込まれた転送用曲情報データ５１のデータ形式を読み込み、読み込んだ転送用曲情報データ５１を編集し、編集されたデータをメモリメディア２２に書き込むことができるアプリケーションプログラムが予めインストールされているものとする。
【００２７】
パーソナルコンピュータ６０にインストールするアプリケーションプログラムは、オーディオ装置１０の付属品としてＣＤ−ＲＯＭ等の記録媒体から読み取り可能な状態で配布することが考えられる。また、インターネット等のネットワークを介してダウンロードできるようにしても良い。
さらに、アプリケーションプログラムのサイズが十分に小さいならば、オーディオ装置１０のＲＯＭ１５に格納しておき、転送用曲情報データ５１をメモリメディア２２に転送する際に同時に書き込んで、パーソナルコンピュータ６０にメモリメディア２２が差し込まれたときに、先にこのアプリケーションプログラムを読み込んで実行するようにしても良い。
【００２８】
図５は、本実施の形態において、パーソナルコンピュータ６０を使用して行われる曲の編集処理を説明する図である。
図４（ｂ）で示したように、パーソナルコンピュータ６０にてメモリメディア２２に保持された転送用曲情報データ５１が読み込まれると、ディスプレイ６２には図５に示すように、曲情報選別画面６４が表示される。この曲情報選別画面６４は、上述したようなアプリケーションプログラムが起動されて動作するものである。曲情報選別画面６４には、転送用曲情報データ５１が「オーディオ装置に記録されている曲」として、また、選別済み曲情報データ５６が「選別したい曲」として、ＧＵＩ情報として表示される。図５に示す例では、１０曲分の転送用曲情報データ５１が表示されている。また、転送用曲情報データ５１に記録された曲が多く、表示しきれないような場合には、スクロールバー６６を使って表示された曲情報を上下にスクロールさせることができる。この「オーディオ装置に記録されている曲」（転送用曲情報データ５１）の欄には、ハードディスクドライブ１１に格納された曲情報データ５０より切り出された曲名５２の項目と、アーティスト５３の項目とが表示されている。また、「選別したい曲」（選別済み曲情報データ５６）の欄は、初期状態では何も表示されていない空欄の状態であるものとする。
【００２９】
ここで、入力装置６３にて「オーディオ装置に記録されている曲」（転送用曲情報データ５１）の中から、再生することを所望する曲の曲名５２の項目とアーティスト５３の項目との情報に基づいて、曲情報の選別を行うことができる。選別の方法としては、「オーディオ装置に記録されている曲」（転送用曲情報データ５１）の欄にてカーソルを合わせて確定操作を行う方法や、入力装置６３に備えられたポインティングデバイス等によって操作することが可能なポインタ６５を使い、所望の情報を選択した状態で「選別したい曲」の欄までドラッグ操作を行う方法等が挙げられる。この選別された曲に関する曲情報が選別済み曲情報データ５６である。
このようにして、曲情報選別画面６４にて選別の操作を行うと、「選別したい曲」欄には、曲名５２の項目とアーティスト５３の項目とが表示される。本実施の形態では、表示された１０曲分の転送用曲情報データ５１の中から、「２．ＳＯＮＧ」、「４．ＵＳＡ」、「７．ＤＯＵＹＯＵ」、「８．×××」が選別されたものとして以下の説明を行う。このように、「選別したい曲」（選別済み曲情報データ５６）の欄には、「オーディオ装置に記録されている曲」（転送用曲情報データ５１）の欄より選別された曲情報の曲名５２の項目とアーティスト５３の項目とが表示されており、選別を行った後にどの曲情報を選別したかを確認することができる。
そして、再生することを所望する全ての曲の曲情報を選別した上で、入力装置６３を操作して決定ボタン６７を選択することによって、メモリメディアスロット６１に差し込まれたメモリメディア２２には、選別済み曲情報データ５６が書き込まれる。
【００３０】
このようにすれば、パーソナルコンピュータ６０に備えられた大きな画面に、ＧＵＩ情報として一度にたくさんの曲情報を表示することができる。このため、ハードディスクドライブ１１に格納された曲データに関する曲情報を容易に把握することができる。さらに、操作しやすい入力装置６３及びＧＵＩによる直感的な操作系を用いて曲情報の選別を行うことができるため曲情報の選別に要する手間と時間を大幅に削減することができる。
なお、曲情報選別画面６４においては、上記のように転送用曲情報データ５１の中から所定の楽曲に関する曲情報を選択する他、選択された楽曲の再生順を指定することもできる。
【００３１】
さて、図４（ｃ）は、パーソナルコンピュータ６０にて選別した選別済み曲情報データ５６が保持されたメモリメディア２２をオーディオ装置１０に再び差し込んだ状態を示す図である。
このように、メモリメディア２２をオーディオ装置１０のメモリメディアインターフェイス２１に差し込むことによって、メモリメディア２２にて保持された選別済み曲情報データ５６をオーディオ装置１０に対して読み込ませることができる。メモリメディア２２がオーディオ装置１０に差し込まれたときのオーディオ装置１０内部での動作について、図６を用いて説明する。
【００３２】
図６は、本実施の形態において選別済み曲情報データ５６をオーディオ装置１０に読み込ませる動作を示す図である。
図６に示すように、オーディオ装置１０に差し込まれたメモリメディア２２には、パーソナルコンピュータ６０にて選別された選別済み曲情報データ５６が保持されている。上述したように、この選別済み曲情報データ５６には、曲名５２の項目とアーティスト５３の項目との情報が記録されている。また、オーディオ装置１０のハードディスクドライブ１１には、曲データ１１ａ〜１１ｊが所定のアドレスに記録され、さらに各曲データ１１ａ〜１１ｊに関する曲情報データ５０が記録されている。曲情報データ５０には、曲名５２、アーティスト５３、ハードディスクドライブ１１におけるスタートアドレス５４、ハードディスクドライブ１１におけるエンドアドレス５５の各項目が記録されている。
【００３３】
さて、メモリメディア２２がオーディオ装置１０のメモリメディアインターフェイス２１に差し込まれると、メモリメディア２２に保持された選別済み曲情報データ５６が読み取られる。この選別済み曲情報データ５６には、曲名５２の項目とアーティスト５３の項目とが、再生したい順序で曲情報リストとして記録されている。曲情報データ入出力部４５は、この選別済み曲情報データ５６のリストの中から一番目のものを選択して読み込む。ここで、選別済み曲情報データ５６のリストの一番目にあるのは、曲名５２が「２．ＳＯＮＧ」でアーティスト５３が「ｂｂｂｂｂ」という情報である。この読み込まれた情報は、曲情報データ入出力部４５から統括制御部４０を介して曲情報制御部４４へと送られる。
【００３４】
曲情報制御部４４は、曲名５２が「２．ＳＯＮＧ」で、アーティスト５３が「ｂｂｂｂｂ」という曲情報を曲情報データ５０の中から検索する。この曲情報データ５０の中には、曲名５２が「２．ＳＯＮＧ」で、アーティスト５３が「ｂｂｂｂｂ」である曲情報が存在している。そこで、曲情報制御部４４では、曲データ１１ｂとともに当該曲データ１１ｂに関する曲情報が読み込まれる。この曲情報は、統括制御部４０からの命令によって表示制御部４１へと送られて、表示部３１に表示される。また、この曲情報が記録しているハードディスクドライブ１１におけるスタートアドレス５４が「２３」からハードディスクドライブ１１におけるエンドアドレス５５が「３２」までに格納されている曲データ１１ｂを特定して当該曲データ１１ｂを再生すべく、読み出すことができる。このようにして曲情報制御部４４にてハードディスクドライブ１１から読み出された曲データ１１ｂは、統括制御部４０からの命令によって音声制御部４３へと送られて、所定の処理を施された後にスピーカ１９から音声として出力される。
【００３５】
このようにすれば、メモリメディア２２に保持された選別済み曲情報データ５６に基づいてオーディオ装置１０のハードディスクドライブ１１に格納された曲情報データ５０に記録されている曲情報を検索し、曲データの再生を行うことができる。
また、選別済み曲情報データ５６から読み込んだ曲名５２が「２．ＳＯＮＧ」の曲データの再生が終了したときには、選別済み曲情報データ５６の二番目に記録されている曲名５２が「４．ＵＳＡ」の曲情報に基づいて曲データ１１ｄの再生が行われる。さらに、この曲の再生が終了したときには、「７．ＤＯＵＹＯＵ」、「８．×××」が順次読み込まれて再生される。
【００３６】
図７は、本実施の形態における曲情報データ５０の転送処理の流れを説明するためのフローチャートである。
まず、オーディオ装置１０は、操作部３２にて曲の選別を行うための操作がなされて、通常再生の要求があるか否かの判断を行う（ステップ７０１）。ここで、通常再生とは、ハードディスクドライブ１１に格納されている曲データを最初から順次再生する場合である。ステップ７０１にて通常再生の要求があると判断された場合には、一般のオーディオ装置における動作と同様に、オーディオ装置１０のハードディスクドライブ１１に格納された曲データを操作部３２になされた操作にしたがって検索し、通常の音楽再生が行われる（ステップ７０２）。ステップ７０２における通常の音楽再生が行われると、処理は終了する。
【００３７】
ステップ７０１にて通常再生の要求がないと判断された場合には、メモリメディアインターフェイス２１にメモリメディア２２が接続されたか否かの判断を行う（ステップ７０３）。ここで、メモリメディアインターフェイス２１にメモリメディア２２が接続されていなければステップ７０１の手前に戻り、ステップ７０１およびステップ７０３の判断を繰り返し行う。また、メモリメディアインターフェイス２１にメモリメディア２２が接続されていると判断された場合には、当該メモリメディア２２の中に、選別済みの再生リストである選別済み曲情報データ５６があるか否かの判断が行われる（ステップ７０４）。ここで、この選別済み曲情報データ５６が存在していた場合の処理については、後に図８を用いて詳しく説明する。
【００３８】
ステップ７０４にて、メモリメディア２２の中に選別済み曲情報データ５６が保持されていなかった場合には、ハードディスクドライブ１１に格納された曲情報データ５０のうちの転送用曲情報データ５１の部分を全てメモリメディア２２へと転送する（ステップ７０５）。そして、転送用曲情報データ５１の転送が全て終了したか否かの判断が行われる（ステップ７０６）。終了していないと判断された場合には、全ての曲情報データ５０がメモリメディア２２に転送されるまでステップ７０５およびステップ７０６の処理を繰り返して行う。ステップ７０６にて全ての曲情報データ５０の転送が終了したと判断されると、表示部３１に曲情報データ５０の転送が終了した旨のメッセージが表示されて曲情報データ５０の転送処理が終了する（ステップ７０７）。
【００３９】
図８は、本実施の形態における選別済み曲情報データ５６の読み込みの流れを説明するためのフローチャートである。
図７にて説明したステップ７０４にてメモリメディア２２の中に選別済み曲情報データ５６が保持されていた場合には、当該メモリメディア２２に保持されている選別済み曲情報データ５６に再生リストとして記録された曲情報をリスト順に一曲ずつ読み込む（ステップ８０１）。ここで、メモリメディア２２から読み込んだ曲情報のデータが、ハードディスクドライブ１１に格納されている曲情報データ５０の中にあるか否かの判断が行われる（ステップ８０２）。曲情報データ５０の中にメモリメディア２２から読み込んだ曲情報がハードディスクドライブ１１の中にないと判断された場合には、表示部３１にハードディスクドライブ１１内にその曲がない旨のメッセージを表示する（ステップ８０３）。
【００４０】
ステップ８０２にてメモリメディア２２から読み込んだ曲情報がハードディスクドライブ１１の中にあると判断された場合には、当該読み込まれた曲情報が表示部３１に表示される（ステップ８０４）。また、この曲情報に基づいてハードディスクドライブ１１から曲データを検索する（ステップ８０５）。さらにステップ８０５にて検索された曲データを再生する（ステップ８０６）。
【００４１】
ステップ８０６にて検索された曲の再生が終了したとき、または、ステップ８０２にて曲情報データ５０の中にメモリメディア２２から読み込んだ曲情報がハードディスクドライブ１１の中にないと判断された場合には、再生リストの中に次の曲情報があるか否かの判断が行われる（ステップ８０７）。ステップ８０７にて再生リストの中に次の曲情報がないと判断された場合には、処理が終了する。また、ステップ８０７にて、再生リストの中に次の曲情報があると判断された場合には、選別済み曲情報データ５６に記録された情報がなくなるまでステップ８０１からステップ８０７までの処理を繰り返し行う。
【００４２】
このようにすれば、オーディオ装置１０にメモリメディア２２を差し込むことによって、パーソナルコンピュータ６０にて選別された選別済み曲情報データ５６に記録された曲情報のリストの順番にしたがった自動再生が可能となる。
なお、オーディオ装置１０の操作部３２を操作することにより、メモリメディア２２に記録された選別済みの曲情報の中から、さらに任意の楽曲を選曲してプログラム再生を行うことも可能である。
【００４３】
また、メモリメディア２２を複数用意し、個別に選別した曲情報をそれぞれ記録しておくことによって、複数の組み合わせのプログラム再生を実現することができる。例えば、クラシックやジャズ、ポップスといったジャンル別に曲情報を記録したメモリメディア２２、楽曲の雰囲気に基づいて選曲された曲情報を記録したメモリメディア２２などをそろえておくことにより、任意のメモリメディア２２をオーディオ装置１０に差し込むという簡単な操作によって、容易に所望の楽曲を含むプログラム再生を行うことができる。
【００４４】
さらに、このように複数のメモリメディア２２を使用すれば、一台のオーディオ装置１０のハードディスクドライブ１１に数人のユーザが所望の楽曲の曲データを記録しておき、ユーザごとに自分用に編集された曲情報を記録したメモリメディア２２を用意することにより、各ユーザが自分の好みの楽曲だけを再生するといった使い方ができる。これにより、複数のユーザにて共用される当該一台のオーディオ装置１０を、各ユーザがあたかも自分専用のオーディオ装置１０であるかのように使用することができる。
【００４５】
なお、上述した本実施の形態においては、曲データを記録するための大容量記録装置としてハードディスクドライブを用いた。しかしながら、大量の曲データと曲情報データとを記録、格納することのできる記録媒体と、この記録媒体に記録されたこれらのデータを読み取ることのできる装置とを備えていれば、他の記録媒体と読み取り装置とを用いてオーディオ装置を構成することもできる。例えば、ＭＰ３（MPEG-1 Audio Layer-III）方式の圧縮技術にて圧縮された曲データとその曲データに関する曲情報データとを記録したＣＤ−ＲＯＭ（Compact Disk Read Only Memory）やＣＤ−ＲＷ（CD Rewritable）等の記録媒体とこれらの記録媒体からデータを読み取ることのできる装置とを用いることも可能である。また、同様に曲データとその曲データに関する曲情報データとを記録した大容量のＤＶＤ（Digital Versatile Disk）−Ａｕｄｉｏ等の記録媒体とその記録媒体からデータを読み取ることのできる装置とを用いても良い。
【００４６】
【発明の効果】
以上説明したように、本発明によれば、メモリメディアをオーディオ装置に差すという簡単な操作によって、大量の曲データを格納したオーディオ装置に対して所望の曲を選択して再生させることができる。
そして、このメモリメディアに記録される情報の編集を外部装置にて行うことができるため、再生しようとする楽曲を格納されている全楽曲の中から選別する作業に要する手間と時間を大幅に削減することができる。
【図面の簡単な説明】
【図１】本実施の形態におけるオーディオ装置１０のシステム構成を示すブロック図である。
【図２】本実施の形態におけるオーディオ装置１０で実現される機能構成を示すブロック図である。
【図３】本実施の形態における曲データと曲情報データ５０とのハードディスクドライブ１１への格納状態を示す図である。
【図４】本実施の形態における曲情報データ５０の動きを示す図である。
【図５】本実施の形態においてパーソナルコンピュータ６０を使用して行われる曲の選別を説明する図である。
【図６】本実施の形態において選別済み曲情報データ５６をオーディオ装置１０に読み込ませる動作を示す図である。
【図７】本実施の形態における曲情報データ５０の転送処理の流れを説明するためのフローチャートである。
【図８】本実施の形態における選別済み曲情報データ５６の読み込み処理の流れを説明するためのフローチャートである。
【符号の説明】
１０…オーディオ装置、１１…ハードディスクドライブ（ＨＤＤ）、１２…制御部、１３…ＣＰＵ、１４…ＲＡＭ、１５…ＲＯＭ、１６…デコーダＩＣ、１７…Ｄ／Ａコンバータ、１８…アンプ、１９…スピーカ、２０…外部インターフェイス部、２１…メモリメディアインターフェイス、２２…メモリメディア、３１…表示部、３２…操作部、４０…統括制御部、４１…表示制御部、４２…入力制御部、４３…音声制御部、４４…曲情報制御部、４５…曲情報データ入出力部、５０…曲情報データ、５１…転送用曲情報データ、５２…曲名、５３…アーティスト、５４…ＨＤＤのスタートアドレス、５５…ＨＤＤのエンドアドレス、５６…選別済み曲情報データ、６０…パーソナルコンピュータ、６１…メモリメディアスロット、６２…ディスプレイ、６３…入力装置、６４…曲情報選別画面、６５…ポインタ、６６…スクロールバー、６７…決定ボタン
【図１】
0004587014.tif 000002
【図２】
0004587014.tif 000003
【図３】
0004587014.tif 000004
【図４】
0004587014.tif 000005
【図５】
0004587014.tif 000006
【図６】
0004587014.tif 000007
【図７】
0004587014.tif 000008
【図８】
0004587014.tif 000009